(57)【要約】  オス部材用フード（２０）は、棒状のオス部材（１０）の周囲を取り囲み、メスコネクタが挿入される環状部（２１）と、環状部に、オス部材に向かって突出するように設けられた、互いに対向する一対の爪（２２）と、環状部に設けられた、一対の爪が対向する方向と直交する方向に対向する一対の押圧部（２３）とを備える。一対の押圧部（２３）が互いに接近する向きの押力Ｆを一対の押圧部（２３）に印加すると、一対の爪（２２）が離間するように環状部（２１）が弾性的に変形する。
2013150956.tif 000002
【特許請求の範囲】
【請求項１】
メスコネクタに着脱可能なオス部材用フードであって、
棒状のオス部材の周囲を取り囲み、前記メスコネクタが挿入される環状部と、
前記環状部に、前記オス部材に向かって突出するように設けられた、互いに対向する一対の爪と、
前記環状部に設けられた、前記一対の爪が対向する方向と直交する方向に対向する一対の押圧部とを備え、
前記一対の押圧部が互いに接近する向きの押力を前記一対の押圧部に印加すると、前記一対の爪が離間するように前記環状部が弾性的に変形することを特徴とするオス部材用フード。
【請求項２】
前記一対の爪が対向する方向に沿った前記環状部の内寸法より、前記一対の押圧部が対向する方向に沿った前記環状部の内寸法が大きい請求項１に記載のオス部材用フード。
【請求項３】
前記環状部に対してスリットを介して分離された一対の保持板を更に備え、
前記一対の保持板の間に前記メスコネクタが挿入される請求項１又は２に記載のオス部材用フード。
【請求項４】
前記メスコネクタに当接することにより前記メスコネクタに対する前記オス部材の挿入深さを規制する当接部を更に備える請求項１〜３のいずれかに記載のオス部材用フード。
【請求項５】
棒状のオス部材と、請求項１〜４のいずれかに記載のオス部材用フードとを備えるオスコネクタ。
【請求項６】
前記オス部材が、バイアル瓶のゴム栓に穿刺される瓶針である請求項５に記載のオスコネクタ。
【発明の詳細な説明】
【技術分野】
【０００１】
本発明は、メス部材との接続状態を維持するためにオス部材に取り付けられるオス部材用フードに関する。また、本発明は、オス部材用フードを備えたオスコネクタに関する。
【背景技術】
【０００２】
バイアル瓶に収納された粉末状の薬剤を患者に投与する際には、一般に、バイアル瓶内に溶解液を注入し薬剤を溶解させ、次いで、薬剤の溶液（薬液）を薬液バッグに注入する。バイアル瓶に溶解液を注入したり、バイアル瓶内の薬液を取り出したりするために、バイアル瓶の口（メスコネクタ）を封止するゴム栓（メス部材）に、鋭利な先端を備えた瓶針（オス部材）が穿刺される。【０００３】
薬剤の中には、例えば一部の抗がん剤のように劇薬に指定されたものがある。このような危険な薬剤を含む薬液が漏れ出して作業者の指などに付着したり、その蒸気を作業者が吸引したりする事態は回避しなければならない。【０００４】
このため、上記の一連の薬液の調製作業を行う途中で瓶針が意図せずにゴム栓から抜け落ちるのを防止する必要がある。【０００５】
特許文献１，２には、図９に示すように、瓶針９１０を取り囲む略円筒形状のフード９２０が開示されている。フード９２０は、等角度間隔に設けられた４本のスリット９２４で４つのフード片９２６に分割されている。各フード片９２６の瓶針９１０に対向する側の面には、バイアル瓶に係合する爪９２２が設けられている。【０００６】
図１０に示すように、バイアル瓶８００のゴム栓８０５に瓶針９１０を対向させる。図１０において、ゴム栓８０５は、バイアル瓶８００の口８０２に装着されており、これによりバイアル瓶８００は封止されている。ゴム栓８０５が口８０２から外れないように、キャップ８０６が、口８０２及びゴム栓８０５に装着されている。キャップ８０６の中央に開口８０７が形成されており、当該開口８０７内にゴム栓８０５が露出している。【０００７】
この状態から、瓶針９１０を開口８０７内に露出したゴム栓８０５に突き刺し、バイアル瓶８００に向かって押し込む。瓶針９１０はゴム栓８０５を穿刺し、これを貫通する。【０００８】
図１１は、瓶針９１０がバイアル瓶８００と連通した状態を示した断面図である。瓶針９１０の周囲に設けられたフード９２０内にバイアル瓶８００のゴム栓８０５及び口８０２が挿入され、フード９２０の内周面に設けられた爪９２２がバイアル瓶８００の口８０２の下側の端縁８０３ｂに係合している。この爪９２２と口８０２との係合が、瓶針９１０がゴム栓８０５から抜けてしまうのを防止する。
【先行技術文献】
【特許文献】
【０００９】
【特許文献１】国際公開第２０１０／０６１７４２号パンフレット
【特許文献２】国際公開第２０１０／０６１７４３号パンフレット
【特許文献３】特許第３３８９９８３号明細書
【発明の概要】
【発明が解決しようとする課題】
【００１０】
上記の従来のフード９２０のバイアル瓶８００の口８０２に対する着脱は、フード９２０をバイアル瓶８００に対して、瓶針９１０の長手方向に沿って押し引きすることにより行う。爪９２２が口８０２及びゴム栓８０５の外周面上を上下方向に摺動して口８０２及びゴム栓８０５を乗り越えるために、フード９２０を拡径するように弾性変形させる必要がある。フード９２０を拡径させる力は、爪９２２とゴム栓８０５の上側の端縁８０３ａ及び口８０２の下側の端縁８０３ｂとの衝突部分に作用するフード９２０とバイアル瓶８００との間の押し引き力に依存する。このため、フード９２０を口８０２に着脱するために、フード９２０とバイアル瓶８００との間に大きな押し引き力を印加する必要がある。【００１１】
フード９２０を口８０２に着脱するために要する力を小さくするためには、フード９２０の剛性を低下させる、爪９２２の突出高さを低くする、などの方法が考えられる。しかしながら、いずれの方法も、爪９２２と口８０２との係合が意図せずに外れてしまい、瓶針９１０がゴム栓８０５から抜けてしまう可能性が高くなる。【００１２】
本発明は、メス部材に挿入されたオス部材が意図せずにメス部材から抜けないようにメスコネクタと係合することができ、且つ、メスコネクタに対する着脱作業が容易なオス部材用フードを提供することを目的とする。また、本発明はこのようなオス部材用フードを備えた、安全性と着脱作業性とを両立させたオスコネクタを提供することを目的とする。
【課題を解決するための手段】
【００１３】
本発明のオス部材用フードは、メスコネクタに着脱可能なオス部材用フードであって、棒状のオス部材の周囲を取り囲み、前記メスコネクタが挿入される環状部と、前記環状部に、前記オス部材に向かって突出するように設けられた、互いに対向する一対の爪と、前記環状部に設けられた、前記一対の爪が対向する方向と直交する方向に対向する一対の押圧部とを備える。前記一対の押圧部が互いに接近する向きの押力を前記一対の押圧部に印加すると、前記一対の爪が離間するように前記環状部が弾性的に変形する。【００１４】
本発明のオスコネクタは、棒状のオス部材と、上記の本発明のオス部材用フードとを備える。
【発明の効果】
【００１５】
本発明によれば、一対の爪がメスコネクタに係合することにより、メス部材に挿入されたオス部材が意図せずにメス部材から抜けるのを防止することができる。また、一対の押圧部を押圧することにより一対の爪の間隔が拡大するので、メスコネクタに対するフードの着脱が容易である。従って、安全性と着脱作業性とが両立したオスコネクタを提供することができる。
【図面の簡単な説明】
【００１６】
【図１】図１は、本発明の一実施形態にかかるオス部材用フードの斜視図である。
【図２】図２は、本発明の一実施形態にかかるオス部材用フードの平面図である。
【図３】図３は、本発明の一実施形態にかかるオス部材用フードの断面斜視図である。
【図４】図４は、バイアル瓶に接続する直前の、本発明の一実施形態にかかるオス部材用フードを示した斜視図である。
【図５】図５Ａ及び図５Ｂは、バイアル瓶に接続する直前の、本発明の一実施形態にかかるオス部材用フードを示した断面図である。
【図６】図６は、バイアル瓶に接続された本発明の一実施形態にかかるオス部材用フードを示した斜視図である。
【図７】図７Ａ及び図７Ｂは、バイアル瓶に接続された本発明の一実施形態にかかるオス部材用フードを示した断面図である。
【図８】図８は、本発明の別の実施形態にかかるオス部材用フードの断面斜視図である。
【図９】図９は、従来のオス部材用フードの斜視図である。
【図１０】図１０は、バイアル瓶に接続する直前の、従来のオス部材用フードを示した断面図である。
【図１１】図１１は、バイアル瓶に接続された従来のオス部材用フードを示した断面図である。
【発明を実施するための形態】
【００１７】
本発明のオス部材用フードは、メスコネクタに着脱可能なオス部材用フードであって、棒状のオス部材の周囲を取り囲み、前記メスコネクタが挿入される環状部と、前記環状部に、前記オス部材に向かって突出するように設けられた、互いに対向する一対の爪と、前記環状部に設けられた、前記一対の爪が対向する方向と直交する方向に対向する一対の押圧部とを備える。前記一対の押圧部が互いに接近する向きの押力を前記一対の押圧部に印加すると、前記一対の爪が離間するように前記環状部が弾性的に変形する。
【００１８】
上記の本発明のオス部材用フードにおいて、前記一対の爪が対向する方向に沿った前記環状部の内寸法より、前記一対の押圧部が対向する方向に沿った前記環状部の内寸法が大きいことが好ましい。これにより、円筒形状の外形を有するメスコネクタを環状部に挿入した状態で、一対の押圧部が互いに接近し且つ一対の爪が互いに離間するように弾性変形する環状部を容易に実現することができる。
【００１９】
本発明のオス部材用フードは、前記環状部に対してスリットを介して分離された一対の保持板を更に備えることが好ましい。この場合、前記一対の保持板の間に前記メスコネクタが挿入されることが好ましい。これにより、メスコネクタにフードを装着したときのメスコネクタに対するフードの姿勢が矯正される。これは、爪をメスコネクタに安定的に係合させるのに有利である。
【００２０】
前記メスコネクタに当接することにより前記メスコネクタに対する前記オス部材の挿入深さを規制する当接部を更に備えることが好ましい。これは、メスコネクタに装着されたフードの傾きを低減するのに有利である。また、爪をメスコネクタに安定的に係合させるのに有利である。更に、フード内にメスコネクタを深く挿入しすぎることにより、フードを誤って破損してしまう可能性を低減するのに有利である。
【００２１】
本発明のオスコネクタは、棒状のオス部材と、上記の本発明のオス部材用フードとを備える。
【００２２】
前記オス部材が、バイアル瓶のゴム栓に穿刺される瓶針であってもよい。
【００２３】
以下に、本発明を好適な実施形態を示しながら詳細に説明する。但し、本発明は以下の実施形態に限定されないことはいうまでもない。以下の説明において参照する各図は、説明の便宜上、本発明の実施形態の構成部材のうち、本発明を説明するために必要な主要部材のみを簡略化して示したものである。従って、本発明は以下の各図に示されていない任意の構成部材を備え得る。また、以下の各図中の部材の寸法は、実際の構成部材の寸法および各部材の寸法比率等を忠実に表したものではない。
【００２４】
図１は、本発明の一実施形態にかかるオス部材用フード（以下、単に「フード」という）２０を示した斜視図である。本実施形態では、オス部材として、バイアル瓶のゴム栓に穿刺される瓶針１０が用いられている。フード２０と瓶針１０とでオスコネクタ１が構成される。図２はフード２０の平面図、図３は瓶針１０の中心軸１０ａを含む面に沿ったフード２０の断面斜視図である。以下の説明の便宜のため、瓶針１０の長手方向（中心軸１０ａ方向）を「上下方向」と呼ぶ。また、上下方向において、基台１９に近い側を「基端側」、遠い側を「先端側」と呼ぶ。
【００２５】
瓶針１０は、平面視形状が略円形である基台１９の中央から突出した棒状の部材である。瓶針１０は、鋭利な先端１０ｔを形成するために略円錐面（テーパ面）の外面を有する円錐部１５と、円錐部１１と基台１９とを繋ぐ柱状部１６とを備えている。本実施形態では、柱状部１６の外周面は、円錐部１５に近づくにしたがってその外径がわずかに小さくなるテーパ面である。柱状部１６の外周面のテーパ角度は、円錐部１５のテーパ角度より小さい。但し、瓶針１０の外周面の形状は、これに限定されず、任意に構成することができる。例えば、柱状部１６の外周面は、外径が中心軸１０ａ方向において一定である円筒面であってもよい。本実施形態では、柱状部１６の外周面は、テーパ角度が異なる２つのテーパ面で構成されていているが、単一のテーパ面で構成されていてもよく、あるいは、テーパ面及び／又は円筒面を任意に組み合わせて構成されていてもよい。更に、瓶針１０の外周面は、円錐部１５と柱状部１６とが明確に区別されている必要はなく、例えば、先端１０ｔから基台１９に近づくにしたがって外径がなだらかに変化する曲面で構成されていてもよい。
【００２６】
図３に示されているように、瓶針１０内には、中心軸１０ａと略平行な２つの流路１１，１２が互いに独立して形成されている。流路１１は、液体が流れる液体流路であり、流路１２は、気体が流れる気体流路である。液体流路１１は、先端１０ｔ側において、横孔１１ａと連通している。横孔１１ａは、中心軸１０ａに対して直交する方向に沿って延び、柱状部１６の外周面において開口している。気体流路１２は、先端１０ｔ側において、円錐部１５の外周面において開口している。
【００２７】
基台１９の瓶針１０とは反対側の構成は本発明と直接関係がないため、省略している。基台１９は、例えばバイアル瓶に接続されるコネクタ（図示せず）の一部であってもよい。例えば、特許文献１，２に記載されたコネクタの構成を本実施形態に適用することができる。本実施形態では、液体流路１１及び気体流路１２は、基台１９の下面において開口しているが、それぞれ延長されて所望する流路に連通していてもよい。
【００２８】
瓶針１０を取り囲むように、フード２０が基台１９から、瓶針１０と同じ側に立設されている。フード２０はその先端側（基台１９から最も遠い側）に、周方向（瓶針１０回りの回転方向）に連続した環状部２１を備える。環状部２１の平面視形状は、略楕円形又は略長円形である。環状部２１の内周面上には一対の爪２２が設けられている。一対の爪２２は、環状部２１の短軸方向に対向している。爪２２は、瓶針１０に向かって突出しており、先端側に傾斜部２２ａを、基端側（基台１９側）に係合部２２ｂを備える。傾斜部２２ａは、基台１９から離れるにしたがって瓶針１０までの距離が拡大するように傾斜した傾斜面である。係合部２２ｂは、瓶針１０の長手方向に直交する面にほぼ沿った平面である。
【００２９】
一対の爪２２が対向する方向と直交する方向（即ち、環状部２１の長軸方向）に対向して一対の押圧部２３が環状部２１上に設けられている。
【００３０】
図２に示されているように、一対の爪２２が対向する方向に沿った環状部２１の内寸法（爪２２を含まない）Ｄ２２より、一対の押圧部２３が対向する方向に沿った環状部２１の内寸法Ｄ２３の方が大きい。内寸法Ｄ２２は、フード２０が適用されるバイアル瓶８００の口８０２及びゴム栓８０５の外径とほぼ同じか、または、これよりわずかに大きい。
【００３１】
環状部２１において、接続部２４が爪２２と押圧部２３とをつないでいる。接続部２４は、環状部２１の短軸方向及び長軸方向に対して傾斜している。
【００３２】
環状部２１は、爪２２の近傍から上下方向に延びた４本の支持部材２５を介して、基台１９に固定されている。なお、支持部材２５の数は４本である必要はなく、例えば２本であってもよい。
【００３３】
環状部２１の一対の押圧部２３と基台１９との間に、一対の保持板２６が基台１９から立設されている。一対の保持板２６は一対の押圧部２３が対向する方向と同じ方向に対向している。略「Ｕ」字状のスリット２７が、保持板２６を、環状部２１及び支持部材２５から分離している。一対の保持板２６の互いに対向する側の面は円筒面であり、その内寸法はフード２０が適用されるバイアル瓶８００の口８０２及びゴム栓８０５の外径にほぼ一致している。保持板２６の瓶針１０と対向する側の面には、上下方向に延びたリブ２８が、瓶針１０に向かって突出している。本例では、リブ２８は、等角度間隔で４本形成されているが、リブ２８の数及び瓶針１０回りの配置位置は、これに限定されない。
【００３４】
図２に示すように、一対の押圧部２３に、一対の押圧部２３が互いに接近する向きの押力Ｆを印加すると、傾斜した接続部２４が押圧部２３と爪２２とを接続しているために、一対の爪２２が離間するように環状部２１が弾性的に変形する。このとき、環状部２１に接続された支持部材２５も、環状部２１の変形に応じて、その基台１９から遠い側の端部が瓶針１０から離れる向きに弾性的に変形する。一方、保持板２６は、スリット２７により環状部２１及び支持部材２５から分離しているので、環状部２１及び支持部材２５が弾性変形しても、保持板２６はほとんど変形しない。
【００３５】
瓶針１０、基台１９、及びフード２０は、硬質の材料からなることが好ましい。具体的には、ポリアセタール、ポリカーボネート、ポリスチレン、ポリアミド、ポリプロピレン、硬質ポリ塩化ビニル等の樹脂材料を用いて、瓶針１０、基台１９、及びフード２０を一体成形等の方法で作成することができる。
【００３６】
以上のように構成された本実施形態のフード２０及びこれを備えたオスコネクタ１の使用方法及び作用を説明する。
【００３７】
最初に、図４に示すように、バイアル瓶８００のゴム栓８０５に瓶針１０を対向させる。図５Ａ及び図５Ｂは、この状態を示した断面図である。図５Ａの断面は、一対の爪２２を通り、図５Ｂの断面は、一対の押圧部２３を通る。バイアル瓶８００の構成は、図１０に示したものと同じである。
【００３８】
このとき、一方の手でバイアル瓶８００を保持し、他方の手でフード２０を保持する。一対の押圧部２３が互いに接近するように２本の指で一対の押圧部２３に押力Ｆを印加し、一対の爪２２の間隔を拡大させる。
【００３９】
この状態から、瓶針１０を開口８０７内に露出したゴム栓８０５に突き刺し、バイアル瓶８００に向かって押し込む。瓶針１０はゴム栓８０５を穿刺し、これを貫通する。これと並行して、バイアル瓶８００のゴム栓８０５及び口８０２が、フード２０の環状部２１内に挿入される。このとき、ゴム栓８０５の上側（フード２０側）の端縁８０３ａが爪２２の傾斜部２２ａに衝突するかも知れない。ところが、上述したように一対の押圧部２３に押力Ｆを印加することにより一対の爪２２の間隔が既に拡大されているので、フード２０にバイアル瓶８００に向かうわずかな押し込み力を更に加えるだけで、一対の爪２２の間隔が拡大するように環状部２１が弾性変形し、爪２２は端縁８０３ａを通過する。
【００４０】
爪２２がバイアル瓶８００の口８０２を乗り越えた後、押圧部２３への押力Ｆをやめると、環状部２１が弾性回復し、爪２２が口８０２より下のくびれ部分８０４に嵌入し、爪２２と口８０２とが係合する。図６は、この状態を示した斜視図、図７Ａ及び図７Ｂはその断面図である。図７Ａ及び図７Ｂの断面は、図５Ａ及び図５Ｂの断面とそれぞれ同じである。一対の保持板２６の間にゴム栓８０５及び口８０２が挿入されている。リブ２８の先端２８ａ（図１、図３を参照）はゴム栓８０５の上面に衝突している。
【００４１】
図７Ａ及び図７Ｂに示されているように、瓶針１０は、ゴム栓８０５を貫通している。瓶針１０の先端１０ｔ側に開口した横孔１１ａと気体流路１２とは、バイアル瓶８００内に露出している。この状態で、液体流路１１及び横孔１１ａを介して、バイアル瓶８００内に液体を流入させることができ、また、バイアル瓶８００内の液体をバイアル瓶８００外に流出させることができる。バイアル瓶８００に対して液体が出入りする際に、気体流路１２を介して空気がバイアル瓶８００に対して出入りする。これにより、バイアル瓶８００内の気圧の変動を低減し、液体の出入りを容易にする。
【００４２】
図６、図７Ａ及び図７Ｂの状態において、瓶針１０の液体流路１１及び横孔１１ａを介してバイアル瓶８００に対して液体の出し入れを行った後、フード２０とバイアル瓶８００とを分離する。
【００４３】
分離は、フード２０とバイアル瓶８００との接続時と同様に、一方の手でバイアル瓶８００を保持し、他方の手でフード２０を保持しながら行う。このとき、一対の押圧部２３が互いに接近するように２本の指で一対の押圧部２３に押力Ｆを印加し、一対の爪２２の間隔を拡大させる。これにより、爪２２と口８０２との係合が解除される。その後、フード２０及びバイアル瓶８００に、互いに引き離す向きの力を印加すればよい。
【００４４】
以上のように、本実施形態によれば、瓶針１０がゴム栓８０５を穿刺した状態で、一対の爪２２がバイアル瓶８００の口８０２に係合する。従って、瓶針１０がゴム栓８０５から意図せずに抜けてしまうのが防止される。
【００４５】
一対の押圧部２３が互いに接近する向きの押力を一対の押圧部２３に印加すると、一対の爪２２が離間するように環状部２１が弾性的に変形する。従って、瓶針１０をゴム栓８０５に穿刺するとき、及び、ゴム穿８０５に穿刺した瓶針１０をゴム栓８０５から抜き取るとき、一対の押圧部２３を押圧しながらフード２０を保持すると、一対の爪２２の間隔が拡大する。従って、バイアル瓶８００の口８０２に対するフード２０の着脱が容易である。
【００４６】
図９〜図１１に示した従来のフード９２０をバイアル瓶８００の口８０２に着脱する際には、フード９２０とバイアル瓶８００との間に印加する押し引き力でフード９２０を弾性的に拡径させなければならない。このため、フード９２０と口８０２との着脱に大きな力が必要であった。
【００４７】
これに対して、本実施形態では、一対の押圧部２３を押圧することにより、一対の爪２２の間隔を拡大させる。従って、一対の押圧部２３に印加した押力Ｆを効率よく一対の爪２２の間隔を拡大させるために使うことができる。その結果、バイアル瓶８００の口８０２に対するフード２０の着脱を相対的に小さな力で行うことができる。
【００４８】
また、これにより爪２２の環状部２１からの突出量を大きくすることができるので、フード２０と口８０２との接続強度が向上する。
【００４９】
本実施形態では、フード２０とバイアル瓶８００とを分離する際には、一対の押圧部２３を押圧することにより一対の爪２２の間隔を拡大させて爪２２と口８０２との係合を解除する。従って、爪２２の係合部２２ｂ（図３参照）は、爪２２と口８０２との係合の解除の容易性を考慮する必要はなく、瓶針１０の長手方向に直交する面にほぼ沿った平面にすることができる。これにより、フード２０を口８０２に装着した状態で、フード２０及びバイアル瓶８００に、互いに引き離す向きの力が作用しても、爪２２と口８０２との係合は容易には外れない。
【００５０】
フード２０を口８０２に装着したとき、フード２０の一対の保持板２６間にゴム栓８０５及び口８０２が挿入される。保持板２６は、スリット２７によって環状部２１及び支持部材２５から分離しているので、一対の保持板２６間の間隔は、環状部２１の変形に関わらず一定である。また、基台１９から延びたリブ２８が保持板２６の剛性を向上させる。従って、一対の保持板２６の間にバイアル瓶８００のゴム栓８０５及び口８０２が挿入されることにより、ゴム栓８０５及び口８０２に対するフード２０及び瓶針１０の姿勢が矯正される。これは、爪２２を口８０２に安定的に係合させるのに有利である。
【００５１】
更に、リブ２８の先端（当接部）２８ａがゴム栓８０５の上面に衝突することにより、瓶針１０のゴム栓８０５に対する挿入深さを規制することができる。また、ゴム栓８０５に対するフード２０及び瓶針１０の傾きを少なくすることができる。また、リブ２８の先端２８ａと爪２２とでバイアル瓶８００を上下方向（瓶針１０の長手方向）に挟持することができる。これらは、爪２２を口８０２に安定的に係合させるのに有利である。更に、ゴム栓８０５をフード２０内に誤って深く挿入しすぎることにより、フード２０（特に環状部２１）を破損してしまうという誤操作の可能性を低減することができる。
【００５２】
上記の実施形態は例示に過ぎない。本発明は、上記の実施形態に限定されず、適宜変更することができる。
【００５３】
上記の実施形態では、オス部材である瓶針１０に穿刺されるメス部材がゴム栓８０５であり、メス部材を備えたメスコネクタがバイアル瓶８００の口８０２である場合を例に説明したが、本発明のオス部材用カバー及びオスコネクタが適用されるメス部材及びメスコネクタはこれに限定されない。例えば、特許文献３に記載されているように、メス部材が、中央部に直線状のスリット（切り込み）が形成されたゴム等の弾性材料からなる隔壁部材（「セプタム」と呼ばれることがある）であり、メスコネクタが当該隔壁部材を備えたニードルレスポートであってもよい。この場合、オス部材としては、図８に示されているように、外周面が先細のテーパ面又は円筒面であり、中心軸に沿って１本の液体流路３１が形成されたオスルアー３０が用いられる。詳細な説明を省略するが、上記の実施形態と同様に、ニードルレスポートを環状部２１内及び一対の保持板２６間に挿入させ、一対の爪２２をニードルレスポートの外周面に形成された凹部に係合させることができる。オスルアー３０は、隔壁部材のスリットに挿入される。隔壁部材のスリットからオスルアー３０を抜き去るとスリットは直ちに閉じる。
【００５４】
上記の実施形態ではリブ２８は上下方向に沿って延びていたが、リブの形状はこれに限定されない。例えば、オス部材（瓶針１０）を取り囲むようにフードの内周面に周方向に延びていてもよい。この場合、リブの基台１９とは反対側の面がメスコネクタに当接する当接部となる。あるいは、リブ２８を省略してもよい。
【００５５】
保持板２６の数は２つである必要はない。例えば、各保持板２６が、上下方向に延びる直線状のスリットによって２以上に分割されていてもよい。上記の実施形態において、一対の保持板２６を省略して開口させてもよい。
【００５６】
環状部２１の押圧部２３に押力を印加しやすいように押圧部２３の面積を拡大したり、押圧部２３に対する指の滑りを防止するために押圧部２３の外表面に凹凸形状を形成したりしてもよい。
【００５７】
環状部２１の平面視形状は、上記の実施形態のように、一対の爪が対向する方向を短軸とし、これと直交する方向を長軸とする略楕円形又は略長円形である必要はなく、例えば、円形、菱形など、任意の形状であってもよい。但し、環状部内にメスコネクタを挿入した状態で一対の押圧部を押圧したときに、一対の押圧部間の間隔が縮小し、一対の爪間の間隔が拡大するように環状部が弾性変形可能なように、自然状態の環状部とメスコネクタとの間に適切な隙間が形成されることが望ましい。
【００５８】
本発明は任意のオスコネクタに適用することができる。例えば、バイアル瓶と、薬液バッグと、更にこれらの間で液体を移動させるためのシリンジとが接続されるコネクタ（例えば、特許文献１，２参照）に設けられる、薬液バッグ及び／又はバイアル瓶に接続されるオスコネクタとして本発明を適用することができる。
【産業上の利用可能性】
【００５９】
本発明の利用分野は特に制限はなく、オス部材をメス部材に挿入した状態を維持するためのロック機構が必要とされる分野において広範囲に利用することができる。特に、医療の分野において、危険な薬液や血液などが漏れ出す可能性があるオス部材とメス部材との接続部分において好ましく利用することができる。但し、医療用途以外の用途、例えば食品用途、一般工業用途などにも利用することができる。
【符号の説明】
【００６０】
１  オスコネクタ
１０  瓶針（オス部材）
２０  オス部材用フード
２１  環状部
２２  爪
２３  押圧部
２６  保持板
２７  スリット
２８  リブ
２８ａ  リブの先端（当接部）
３０  オスルアー（オス部材）
８０２  バイアル瓶の口（メスコネクタ）
８０５  バイアル瓶のゴム栓（メス部材）
Ｆ  押力
【図１】
2013150956.tif 000003
【図２】
2013150956.tif 000004
【図３】
2013150956.tif 000005
【図４】
2013150956.tif 000006
【図５】
2013150956.tif 000007
【図６】
2013150956.tif 000008
【図７】
2013150956.tif 000009
【図８】
2013150956.tif 000010
【図９】
2013150956.tif 000011
【図１０】
2013150956.tif 000012
【図１１】
2013150956.tif 000013
【国際調査報告】
2013150956.tif 000014
2013150956.tif 000015
2013150956.tif 000016
2013150956.tif 000017